(57)【特許請求の範囲】
【請求項１】
L-アスコルビン酸及び還元剤に安定で酸化剤には不安定な色素を含む水溶液であることを特徴とする塩素系漂白・除菌剤の無害化処理剤。
【請求項２】
還元剤に安定で酸化剤には不安定な色素が、赤色４０１号、黄色２０３号、青色２号、黄色４０７号、橙色４０２号、黒色４０１号及び赤色５０４号からなる群から選ばれる少なくとも１種である請求項１に記載の塩素系漂白・除菌剤の無害化処理剤。
【請求項３】
少なくとも１種の界面活性剤を含む請求項１又は請求項２に記載の塩素系漂白・除菌剤の無害化処理剤。
【発明の詳細な説明】
【０００１】
【発明の属する技術分野】
本発明は、家庭用、業務用に使用される塩素系漂白・除菌剤を使用した後の処理液や廃液、或は誤ってこぼした液を無害化するための処理剤に関するものである。
【０００２】
【従来の技術】
次亜塩素酸塩を主成分とする塩素系漂白・除菌剤は、洗濯物の漂白・除菌；ふきん、おしぼり等の漂白と除菌・除臭；食器、調理具の漂白と除菌・除臭：冷蔵庫、食器棚の除菌・除臭、トイレの除菌・除臭・汚れ落し；風呂場のかび落しなどと巾広く使用され、家庭に普及している。しかし、酸性タイプの薬剤と混合した場合塩素が急激に発生し、また誤ってこぼした場合にも塩素が大量に発生するので危険である。また次亜塩素酸塩が残留している廃液は台所シンクの金属部、排水管などに悪影響を与え、浄化槽に流れ込むと廃液を浄化する微生物を死滅させる恐れがある。通常の使用に際しても、手に塩素臭やぬるつき感が残り不快であるばかりでなく、手荒れ、肌荒れの原因となる。
【０００３】
ビタミンＣとして知られているL-アスコルビン酸は還元剤でもあり、還元剤が次亜塩素酸塩と反応して塩素を消費し塩素をイオン化して無害にすることは公知である。しかしこの反応を利用して塩素系漂白・除菌剤を無害化する場合、特に家庭の主婦にとって、L-アスコルビン酸を過不足なく使用するのは難しい。その理由の一つは塩素系漂白・除菌剤を計量することなく目分量で使用していることであり、もう一つの理由は次亜塩素酸塩は時間の経過と共に分解し、塩素系漂白・除菌剤中の有効塩素濃度が低下することである。例えば、市販の塩素系漂白・除菌剤中の有効塩素は出荷時には５％以上であるが、一年後には２％程度になってしまうものもある。使用した塩素系漂白・除菌剤の量及び有効塩素濃度が不明のまま、過不足なくL-アスコルビン酸を適量添加することは難しい。
【０００４】
【発明が解決しようとする課題】
本発明の目的は、使用した塩素系漂白・除菌剤の量及び有効塩素濃度が不明であっても、過不足なく適量を添加して無害化することができる処理剤を提供することである。本発明の更なる目的は、使用後、手に塩素臭やぬるつき感が残らない処理剤を提供することである。
【０００５】
【課題を解決するための手段】
本発明に関る塩素系漂白・除菌剤の無害化処理剤は、L-アスコルビン酸及び還元剤に安定で酸化剤には不安定な色素を含む水溶液であることを特徴とする。
【０００６】
この処理剤を塩素系漂白・除菌剤を含む水溶液中に添加すると、漂白・除菌剤中の次亜塩素酸塩は処理剤中のL-アスコルビン酸と反応して無害化される。
【０００７】
処理剤の添加量が不足で次亜塩素酸塩が残留している場合には、処理剤中の色素は次亜塩素酸塩により酸化され脱色して無色になる。しかし処理剤の添加量が十分になり次亜塩素酸塩が消滅すると、添加された水溶液は色素本来の色で着色されるようになる。したがって、塩素系漂白・除菌剤を含む水溶液に着色が認められるところまで処理剤を添加すれば、水溶液中の次亜塩素酸塩は完全に無害化されたことになる。このようにして、塩素系漂白・除菌剤の使用量やその有効成分（次亜塩素酸塩）濃度を知らずとも、処理剤を適量使用することが極めて容易である。実施例によれば、理論量に対する１〜１．１倍の無害化処理剤の使用量で明らかな着色を認識し得る。
【０００８】
【発明の実施の形態】
ビタミンＣとして知らているL-アスコルビン酸は医薬品用、食品添加物用、医薬部外品用或は化粧品用として常用されている物質で、その安全性には問題がない。またL-アスコルビン酸には美肌効果があるとされており、その点からも好適である。処理剤中のL-アスコルビン酸の濃度は特に限定されないが、商品形態としては１０〜１５重量％程度が適当である。
【０００９】
還元剤に安定で酸化剤には不安定な色素としても、食用、医薬品用、医薬部外品用、化粧品用として認められているものの中から選ぶのが好ましく、赤色４０１号、黄色２０３号、青色２号、黄色４０７号、橙色４０２号、黒色４０１号、赤色５０４号などが例示される。色素の濃度は０．０１〜０．０３重量％程度が適当である。
【００１０】
以下実施例により本発明を具体的に説明するが、本発明は下記の実施例に限定されるものではなく、本発明の要旨に従って、様々な態様で実施できる。
【００１１】
【実施例１〜７】
有効塩素濃度４．２８重量％の次亜塩素酸ソーダ及び１〜２重量％の界面活性剤を含むｐＨ約１２．５の市販の塩素系漂白・除菌剤１０ｍｌ（１０．６５ｇ）を水１０００ｍｌに溶解（１００倍）した水溶液に、表１に示した組成（L-アスコルビン酸１０．０重量％；色素０．０２重量％）の無害化処理剤を、着色が確認できるまで注加した。着色が認められるまでの使用量を測定し理論量（次亜塩素酸ソーダを完全に分解する必要量）に対する倍率として表１に示した。理論量の測定は、色素評価に用いた市販の塩素系漂白・除菌剤５ｍｌをホールピペットで容量３００ｍｌの共栓三角フラスコに採取し、水５０ｍｌ、沃素カリＫＩ粉末２ｇ及び１規定Ｈ2 ＳＯ4 水溶液５ｍｌを加え、２分間放置し、遊離したＩ2 をL-アスコルビン酸１０．０重量％で滴定し、これに要した量（ｍｌ）を２倍して理論量とした。
【００１２】
【表１】
0003988003.tif 000002
【００１３】
表１から明らかなように、本発明の無害化処理剤を使用すれば、使用した塩素系漂白・除菌剤の量及び有効塩素濃度が不明であっても、着色を確認すると言う簡単な操作で適量を添加して塩素系漂白・除菌剤を無害化することができる。
【００１４】
市販の塩素系漂白・除菌剤は、次亜塩素酸塩の安定化のためアルカリ性化合物を加えて通常ｐＨ＝１２以上のアルカリ性にしており、使用濃度でもｐＨ＝１１前後なので、使用後手にぬるつき感が残り、不快であるばかりでなく、手荒れ、肌荒れの原因となる。本発明において無害化処理剤として使用するL-アスコルビン酸は酸性物質であり、無害化処理後の液中には若干量の過剰L-アスコルビン酸が残るので、塩素を無害化した後の水溶液は中性〜弱酸性となり手にぬるつき感が残らない。
【００１５】
次亜塩素酸塩を主成分とする塩素系漂白・除菌剤に、塩酸のような強酸を加えると塩素を発生し危険であることは周知であり、塩素系漂白・除菌剤の包装に表示することも義務付けられている。しかし本発明者らは、塩素系漂白・除菌剤に適量のL-アスコルビン酸を混合した場合には塩素ガスが発生しないことを確認した。
【００１６】
本発明の無害化処理剤の使用に関わる副次的問題点として、洗濯物、ふきん、おしぼり、タオルなどの布地を塩素系漂白・除菌剤を使用後、本発明の無害化処理剤を使いすぎた場合、無害化処理中の色素により布地が着色する場合がある。これを防止するには、無害化処理剤中に界面活性剤を添加すると良い。界面活性剤の種類としては、ノニオン界面活性剤、アニオン界面活性剤、両性界面活性剤のうちのいずれでも良い。ノニオン界面活性剤としては、ＥＯ（エチレンオキサイド）付加モル数７以上のポリオキシエチレンアルキルエーテル、ポリオキシエチレンアルキルフェニルエーテル、及び平均分子量４００〜１０万のポリアルキレングリコールなどが挙げられる。アニオン界面活性剤としては、高級アルコール硫酸塩、アルキルエーテル硫酸塩などが挙げられる。両性界面活性剤としてはベタイン系両性界面活性剤が挙げられる。これらのうちから１種又は２種以上を組み合わせて用いる。界面活性剤の添加量は無害化処理剤中に１〜２重量％程度が適当である。
【００１７】
【発明の効果】
次亜塩素酸塩を主成分とする塩素系漂白・除菌剤は、業務用、家庭用として広く使用されているが、使用法を誤ると塩素が急激に発生し危険であるばかりでなく、通常の使用に際しても手に塩素臭が残り不快であり、また手荒れ、肌荒れの原因となる。本発明の無害化処理剤は、使用した塩素系漂白・除菌剤の量及び有効塩素濃度が不明であっても適量を添加して無害化することができ、手に塩素臭が残らない。また無害化処理後の液が中性〜弱酸性になり、手にぬるつき感が残らない。